(57)【要約】【課題】椅子の背もたれに配設でき、頭部支持手段を有するヘッドレスト装置の提供。【解決手段】椅子の背もたれに配設されることができるヘッドレスト装置であって、前記ヘッドレスト装置は、前記椅子に座る利用者の後頭部を支持できる頭部支持手段と、前記頭部支持手段から延伸する一対の支持フレームと、を有しており、更に、前記一対の支持フレームには、それぞれ耳状に湾曲するハンドルが形成されていることを特徴とするヘッドレスト装置。【選択図】図４
2015039633.tif 000002
【特許請求の範囲】
【請求項１】
椅子の背もたれに配設されることができるヘッドレスト装置であって、
前記椅子に座る利用者の後頭部を支持できる頭部支持手段と、前記頭部支持手段から延伸する一対の支持フレームと、を有しており、
更に、前記一対の支持フレームには、それぞれ耳状に湾曲するハンドルが形成されていることを特徴とするヘッドレスト装置。
【請求項２】
椅子の背もたれに配設される際、一対の前記ハンドルは、下から上へ延伸すると共に、前記利用者側及び他の一つのハンドル側へ、鉛直線との成す角度が３０°以内で傾くように棒状に形成されている握り部を有していることを特徴とする請求項１に記載のヘッドレスト装置。
【請求項３】
前記一対のハンドルは、椅子の背もたれに配設された際にそれぞれ少なくとも前記握り部の下端から前記利用者側へ湾曲する湾曲部を更に有しており、
また、前記一対の支持フレームには、椅子の背もたれに取り付けられることができる第１の取付け手段が更に構成されていることを特徴とする請求項２に記載のヘッドレスト装置。
【請求項４】
前記一対の支持フレームには、
前記一対のハンドルの上端から互いに向かい合うように延伸して前記頭部支持手段に取り付けられている第２の取付け手段が更に構成されていることを特徴とする請求項２または請求項３に記載のヘッドレスト装置。
【請求項５】
前記一対の支持フレームは、椅子の背もたれのフレームと一体成形されていることを特徴とする請求項１または請求項２に記載のヘッドレスト装置。
【請求項６】
前記第１の取付け手段には、前記湾曲部の前記握り部から離れた先端から、更に下方へ延伸して形成される配設孔に挿入できる棒状の挿入部が形成されていることを特徴とする請求項３に記載のヘッドレスト装置。
【請求項７】
前記椅子は、その背もたれに、前記利用者側の反対側へ湾曲するように延伸する延伸部が形成されたものであって、
前記第１の取付け手段には、前記延伸部を受け入れることができる受入孔を有する中空管状の取付け管が形成されていることを特徴とする請求項３に記載のヘッドレスト装置。
【請求項８】
前記第１の取付け手段は、前記取付け管に螺挿されて前記受入孔が受け入れた前記延伸部に当接して前記延伸部を前記受入孔内に固定することができるねじを更に有していることを特徴とする請求項７に記載のヘッドレスト装置。
【請求項９】
前記第１の取付け手段において、少なくとも前記取付け管の先端に、少なくとも２つの固定プレートがそれぞれ突出すると共に、前記受入孔を囲うように形成されており、
前記第１の取付け手段は、周長が前記取付け管より僅かに短い環状部と、前記環状部の両端から同一の方向に向かってそれぞれ突出する一対の接続板と、前記一対の接続板を一斉に貫通して前記一対の接続板を接続させることができる接続ねじと、からなる締付け環を更に備えており、
前記環状部が全ての前記固定プレートを外側から環囲してから前記接続ねじで前記一対の接続板を接続させることによって、各前記固定プレートで前記受入孔が受け入れた前記延伸部を締め付けて固定することができることを特徴とする請求項７に記載のヘッドレスト装置。
【請求項１０】
前記第１の取付け手段において、前記取付け管の先端にあって前記受入孔を囲う管壁には、前記先端から切り込まれたスリットが形成されている上、前記管壁の前記スリットに臨む両端縁に、同一の方向に向かってそれぞれ突出する一対の固定板が形成されており、
更に、前記一対の固定板は固定ねじによって互いに接続されて前記受入孔が受け入れた前記延伸部を締め付けて固定することができることを特徴とする請求項７に記載のヘッドレスト装置。
【請求項１１】
前記頭部支持手段の両端には、水平に延伸する水平軸線に沿って、前記頭部支持手段からそれぞれ離れるように延伸する取付けピンが固定されており、
また、前記第２の取付け手段には、前記水平軸線に沿って、前記取付けピンに対応し且つ前記取付けピンが回転自在に挿入できるように形成された取付け孔を有しており、
前記取付けピンが前記取付け孔に挿入されることにより、前記頭部支持手段は、前記第２の取付け手段に取り付けられるとともに、前記水平軸線を軸心として回転できることを特徴とする請求項４に記載のヘッドレスト装置。
【請求項１２】
２つの前記第２の取付け手段は、
前記一対のハンドルの上端において、互いに向き合う端部に、所定の円形に配列するように形成された複数の嵌合突起と、
円環状に形成された枠本体及び前記枠本体を横断して前記枠本体と共に穿設孔を２つ画成するスポークを有し、前記所定の円形の円心に回転可能に軸支されていると共に、前記枠本体の前記第２の取付け手段に向かう面に、前記複数の嵌合突起をすべて同時にそれぞれ受け入れることができる複数の嵌合孔が形成されている回転枠と、
一端が前記第２の取付け手段が対応する前記頭部支持手段の端部に取り付けられ、他の一端が１つの前記穿設孔を挿通してから前記スポークを巡って他の１つの前記穿設孔を更に挿通して前記一端が取り付けられている前記頭部支持手段に取り外し可能に取り付けられる取付けベルトと、を有しており、
この構成により、前記頭部支持手段は、
前記回転枠に形成されている各嵌合孔が前記握り部に形成された対応する嵌合突起を受け入れることによって、前記ハンドルに対する姿勢を一旦保持されることができると共に、前記頭部支持手段を回転する際、前記取付けベルトを経由して前記回転枠を回転させ、前記回転枠に形成されている各嵌合孔が対応していた嵌合突起から離れて、回転方向上における他の嵌合突起を受け入れて嵌合することによって、前記頭部支持手段の前記ハンドルに対する姿勢を変えられることを特徴とする請求項４に記載のヘッドレスト装置。
【請求項１３】
前記第２の取付け手段は、前記握り部の上端に取り外し可能の取り付けられていると共に、第１の所定の方向に沿って延伸する第１の取付けブロックと、一端が前記第１の取付けブロックに連続し、前記一端から前記第１の所定の方向と所定の角度を成す第２の所定の方向に沿って延伸して先端にある他端が前記頭部支持手段に取り付けられている第２の取付けブロックと、を有するように構成されていることを特徴とする請求項４に記載のヘッドレスト装置。
【請求項１４】
前記第２の取付け手段は、それぞれ前記頭部支持手段に向かって延伸する一対の延伸板を有し、各前記延伸板には一対の掛合孔が上下に形成されており、
前記頭部支持手段には、一端が前記利用者側の反対側の面に固定され、他端が前記第２の取付け手段が有する前記掛合孔を挿通してから前記利用者側の反対側の面に戻って固定されることができるように構成された掛合ベルトが左右３つずつ上下方向に沿って並ぶように、左右対称に配置されており、更に、相隣る前記掛合ベルトが、前記一対の掛合孔を同時に挿通してから、前記頭部支持手段の前記利用者側の反対側の面に取り付けられ、且つ左右対称となるように配置されており、
この構成により、前記頭部支持手段は、前記一対の掛合孔を相異する前記相隣る掛合ベルトに掛合することにより、前記頭部支持手段を相異する高さに取り付けることができることを特徴とする請求項４に記載のヘッドレスト装置。
【請求項１５】
両端が前記頭部支持手段と前記一対のハンドルの上端とそれぞれに、前記頭部支持手段を相異する高さに調整できるように、同じ平面において回動自在に軸装される取付け部材を有することを特徴とする請求項４に記載のヘッドレスト装置。
【発明の詳細な説明】
【技術分野】
【０００１】
本発明はヘッドレスト装置に関し、特に椅子の背もたれに配設されることが出来るヘッドレスト装置に関する。
【背景技術】
【０００２】
従来の椅子は、座面と背もたれとを有し、利用者の下半身及び背中と腰を支持することができる。また、肘掛けを備える椅子、例えば特許文献１に記載された車椅子は、利用者の腕も支持できる。
【０００３】
しかし、それらの椅子には、利用者の頭部を支持するヘッドレスト装置を備えていないので、長時間、該椅子に座ると、人体の胴体部及び頸部が無意識に前方に傾いて、頸部に負担がかかって、頸部の骨及び筋肉に関わる病気が生じやすくなる。
【先行技術文献】
【特許文献】
【０００４】
【特許文献１】台湾意匠登録第１１９０５８号公報
【発明の概要】
【発明が解決しようとする課題】
【０００５】
上記問題点に鑑みて、本発明は、椅子の背もたれに配設でき、頭部支持手段を有するヘッドレスト装置の提供を目的とする。
【課題を解決するための手段】
【０００６】
上記目的を達成すべく、本発明は、椅子の背もたれに配設されることができるヘッドレスト装置であって、前記椅子に座る利用者の後頭部を支持できる頭部支持手段と、前記頭部支持手段から延伸する一対の支持フレームと、を有しており、更に、前記一対の支持フレームには、それぞれ耳状に湾曲するハンドルが形成されていることを特徴とするヘッドレスト装置を提供する。
【発明の効果】
【０００７】
上記の構成によれば、本発明は、椅子の背もたれに、頭部支持手段を有するヘッドレスト装置を配設することにより、頭部支持手段で利用者の頭部を支持することができ、従来のヘッドレスト装置を有しない椅子に座るより、頸部にかかる負担が軽減されて、頸部の骨及び筋肉に関わる病気が生じにくくなる。
【図面の簡単な説明】
【０００８】
【図１】本発明の第１の実施形態を椅子の背もたれに配設することが示される斜視図である。
【図２】本発明の第１の実施形態が示される部分側面図である。
【図３】本発明の第１の実施形態が示される部分背面図である。
【図４】本発明の第２の実施形態を椅子の背もたれに配設することが示される斜視図である。
【図５】本発明の第３の実施形態を椅子の背もたれに配設することが示される斜視図である。
【図６】本発明の第４の実施形態を椅子の背もたれに配設することが示される斜視図である。
【図７】本発明の第５の実施形態を椅子の背もたれに配設することが示される斜視図である。
【図８】本発明の第６の実施形態を椅子の背もたれに配設することが示される斜視図である。
【図９】本発明の第７の実施形態が示される斜視図である。
【図１０】本発明の第８の実施形態が示される部分斜視図である。
【図１１】本発明の第８の実施形態の構成が示される部分分解図である。
【図１２】本発明の第８の実施形態の構成が示される部分断面図である。
【図１３】本発明の第９の実施形態において、第２の取付け手段を握り部の上端に取り付けることが示される部分斜視図である。
【図１４】本発明の第９の実施形態において、頭部支持手段の２つの取付け位置が示される部分側面図である。
【図１５】本発明の第１０の実施形態において、第２の取付け手段を頭部支持手段に取り付けることが示される部分斜視図である。
【図１６】本発明の第１０の実施形態において、第２の取付け手段を頭部支持手段に取り付けることが示される部分断面図である。
【図１７】本発明の第１１の実施形態が示される部分斜視図である。
【図１８】本発明の第１１の実施形態において、頭部支持手段の高さが調整されることが示される部分正面図である。
【発明を実施するための形態】
【０００９】
以下では添付の図面を参照しながら、本発明のヘッドレスト装置の各好ましい実施形態について説明する。
【００１０】
（第１の実施形態）
図１は、本発明の第１の実施形態を椅子の背もたれに配設することが示される斜視図であり、図２は、本発明の第１の実施形態が示される部分側面図であり、図３は、本発明の第１の実施形態が示される部分背面図である。
【００１１】
本実施形態におけるヘッドレスト装置は、図１に示されるように、椅子９の座面に座る利用者の後頭部を支持できる頭部支持手段１と、頭部支持手段１から延伸する一対の支持フレーム２と、を有し、椅子９の背もたれ９１に配設されることができる。頭部支持手段１には、利用者側に面し、利用者が頭部を載せやすくなるように構成された枕部１１を有し、一対の支持フレーム２には、それぞれ耳状、即ち屈曲したＣの字状に湾曲するハンドル２１が形成され、例えば椅子９にキャスターが取り付けられていて移動することができる場合、椅子の操縦者がハンドル２１を持って椅子９を操作することができる。
【００１２】
この構成によれば、椅子の操縦者は、従来の椅子を移動することより楽な姿勢で、椅子を移動できる。
【００１３】
また、一対のハンドル２１は、該ヘッドレスト装置が図１に示される椅子９の背もたれ９１に配設される際、図２または図３に示されるように、下から上へ延伸すると共に、前記利用者側及び他の一つのハンドル２１側へと、鉛直線８１との成す角度が３０°以内で傾くように棒状に形成されている握り部２１１を有している。上記角度は、握り部２１１を、人が拳を握った姿勢をとった場合に握りやすい角度に傾かせるために形成するものである。このため、握り部２１１は、それぞれ前記利用者側及び他の一つのハンドル２１側へと、鉛直線８１との成す角度が１０°〜２０°の範囲内にあるように形成されることが好ましく、そして上記角度範囲は１２°〜１５°の範囲内にあることがより好ましい。
【００１４】
更に、一対のハンドル２１は、図１に示されるように、該ヘッドレスト装置が椅子９の背もたれ９１に配設される際、それぞれ少なくとも握り部２１１の下端から前記利用者側へ湾曲する湾曲部２１２を有している。さらに、該ヘッドレスト装置には、一対の支持フレーム２の各湾曲部２１２の先端から延伸して該ヘッドレスト装置が椅子９の背もたれ９１に配設される際に椅子９の背もたれ９１に取り付けられることができる第１の取付け手段３と、一対のハンドル２１の各上端から互いに向かい合うように延伸して頭部支持手段１に取り付けられている第２の取付け手段４と、が構成されている。
【００１５】
この第１の実施形態においては、第１の取付け手段３には、湾曲部２１２の握り部２１１から離れた先端から、更に下方へ延伸し、椅子９の背もたれ９１に形成された配設孔９１１に対応して、取り外し可能に挿入することができる棒状の挿入部３１が形成されている。挿入部３１を配設孔９１１に取り外し可能に挿入することにより、本実施形態におけるヘッドレスト装置を椅子９の背もたれ９１に取り付けることができる。
【００１６】
（第２の実施形態）
本発明の第２の実施形態は、上記第１の実施形態と類似する構成を有するので、ここでは詳しい説明を省略し、その相違点のみを説明する。
【００１７】
図４は、本発明の第２の実施形態を椅子の背もたれに配設することが示される斜視図である。
【００１８】
図４に示されるように、本発明の第２の実施形態は、一対の支持フレーム２を、椅子９の背もたれ９１のフレームと一体に成形することにより、本発明のヘッドレスト装置を椅子９の背もたれ９１に取り付ける手間を省くことができる。
【００１９】
（第３の実施形態）
図５は、本発明の第３の実施形態を椅子の背もたれに配設することが示される斜視図である。この第３の実施形態は上記第１の実施形態と類似する構成を有するので、ここでは詳しい説明を省略し、その相違点のみを説明する。
【００２０】
図５に示されるように、本発明の第３の実施形態は、背もたれ９１に、前記利用者側の反対側（即ち椅子９の座面に座る利用者の背中側）へ湾曲するように延伸する延伸部９１２が形成されている椅子９に適用されるものである。本実施形態では、第１の取付け手段３は、下方へ延伸せずに、延伸部９１２に対応して利用者側へ延伸し、第１の取付け手段３には、延伸部９１２を取り外し可能に受け入れることができる受入孔３３を有する中空管状の取付け管３２が形成されている。受入孔３３が延伸部９１２を取り外し可能に受け入れることにより、本実施形態のヘッドレスト装置が椅子９の背もたれ９１に取り付けられることができる。
【００２１】
（第４の実施形態）
本発明の第４の実施形態は、上記第３の実施形態と類似する構成を有するので、ここでは詳しい説明を省略し、その相違点のみを説明する。
【００２２】
図６は、本発明の第４の実施形態を椅子の背もたれに配設することが示される斜視図である。
【００２３】
本発明の第４の実施形態において、図６に示されるように、第１の取付け手段３は、取付け管３２に螺挿されて受入孔３３が受け入れた延伸部９１２に当接して延伸部９１２を受入孔３３内に固定することができるねじ３４を更に有している。即ち、この実施形態は、受入孔３３が延伸部９１２を受け入れて、本発明のヘッドレスト装置が椅子９の背もたれ９１に取り付けられた後、ねじ３４が取付け管３２に螺挿されて延伸部９１２に当接することにより、延伸部９１２を受入孔３３内に更に強く固定することができる。
【００２４】
（第５の実施形態）
本発明の第５の実施形態は、上記第３の実施形態と類似する構成を有するので、ここでは詳しい説明を省略し、その相違点のみを説明する。
【００２５】
図７は、本発明の第５の実施形態を椅子の背もたれに配設することが示される斜視図である。
【００２６】
本発明の第５の実施形態は、図７に示されるように、第１の取付け手段３において、取付け管３２の先端に、４つの固定プレート３２１がそれぞれ突出すると共に、受入孔３３を囲うように形成されている。
【００２７】
第１の取付け手段３は、取付け管３２より周長が僅かに短い環状部３５１と、環状部３５１の両端から同一の方向に向かってそれぞれ突出する一対の接続板３５２と、一対の接続板３５２を一斉に貫通して一対の接続板３５２を接続させることができる接続ねじ３５３と、からなる締付け環３５を更に備えている。
【００２８】
この実施形態では、受入孔３３が延伸部９１２を受け入れて、本発明のヘッドレスト装置が椅子９の背もたれ９１に取り付けられた後、環状部３５１が全ての固定プレート３２１を外側から環囲してから、接続ねじ３５３で一対の接続板３５２を接続させて締付け環３５を締め付けることによって、各固定プレート３２１で受入孔３３が受け入れた延伸部９１２を締め付けて、延伸部９１２を受入孔３３内に更に強く固定することができる。
【００２９】
（第６の実施形態）
本発明の第６の実施形態は、上記第３の実施形態と類似する構成を有するので、ここでは詳しい説明を省略し、その相違点のみを説明する。
【００３０】
図８は、本発明の第６の実施形態を椅子の背もたれに配設することが示される斜視図である。
【００３１】
本発明の第６の実施形態は、図８に示されるように、第１の取付け手段３において、取付け管３２の先端にあって受入孔３３を囲う管壁には、該先端から切り込まれたスリット３２２が形成されている上、該管壁のスリット３２２に臨む両端縁に、同一の方向に向かってそれぞれ突出する一対の固定板３２３が形成されている。
【００３２】
そして、受入孔３３が延伸部９１２を受け入れて、本発明のヘッドレスト装置が椅子９の背もたれ９１に取り付けられた後、一対の固定板３２３は、固定ねじ３２４でスリット３２２を狭めるように、互いに接続されて、受入孔３３が受け入れた延伸部９１２を締め付けて、延伸部９１２を受入孔３３内に更に強く固定することができる。
【００３３】
ちなみに、本発明のヘッドレスト装置を適用する椅子については、特に制限はなく、例えばオフィスチェア、パイプ椅子、ソファ、車用シート、映画館のシート、車椅子などが挙げられる。
【００３４】
また、特に第３〜第６の実施形態のヘッドレスト装置の第１の取付け手段は、車椅子が有するハンドル部を延伸部９１２として、取付け管３２の受入孔３３を該ハンドル部を受け入れることができるように構成することにより、本発明のヘッドレスト装置を該車椅子に適用することもできる。これによって該ヘッドレスト装置が有する握り部で該車椅子の移動を制御することができる。
【００３５】
（第７の実施形態）
本発明の第７の実施形態は、上記第１の実施形態と類似する構成を有するので、ここでは詳しい説明を省略し、その相違点のみを説明する。
【００３６】
図９は、本発明の第７の実施形態が示される斜視図である。
【００３７】
本発明の第７の実施形態は、図９に示されるように、頭部支持手段１の両端に、水平に延伸する水平軸線８２に沿って、頭部支持手段１からそれぞれ離れるように延伸する取付けピン１２が固定されている。また、第２の取付け手段４は、水平軸線８２に沿って、取付けピン１２に対応し且つ取付けピン１２が回転自在に挿入できるように形成された取付け孔４１を有している。取付けピン１２が取付け孔４１に挿入されることにより、頭部支持手段１は、第２の取付け手段４に取り付けられると共に、水平軸線８２を軸心として回転できる。
【００３８】
（第８の実施形態）
本発明の第８の実施形態は、上記第１の実施形態と類似する構成を有するので、ここでは詳しい説明を省略し、その相違点のみを説明する。
【００３９】
図１０は、本発明の第８の実施形態が示される部分斜視図であり、図１１は、本発明の第８の実施形態の構成が示される部分分解図であり、図１２は、本発明の第８の実施形態の構成が示される部分断面図である。
【００４０】
本発明の第８の実施形態は、図１０〜図１２に示されるように、２つの第２の取付け手段４は、一対のハンドル２１の上端において、互いに向き合う端部に、所定の円形に配列するように形成された複数の嵌合突起４２と、円環状に形成された枠本体４３１及び枠本体４３１を横断して枠本体４３１と共に穿設孔４３３を２つ画成するスポーク４３２を有し、前記所定の円形の円心に回転可能に軸支されていると共に、枠本体４３１の第２の取付け手段４に向かう面に、複数の嵌合突起４２をすべて同時にそれぞれ受け入れることができる複数の嵌合孔４３４が形成されている回転枠４３と、一端が第２の取付け手段４が対応する頭部支持手段１の端部に取り付けられ、他の一端が１つの穿設孔４３３を挿通してからスポーク４３２を巡って他の１つの穿設孔４３３を更に挿通して前記一端が取り付けられている頭部支持手段１に取り外し可能に取り付けられ、可撓性を有する取付けベルト４４と、を有している。
【００４１】
この構成により、頭部支持手段１は、回転枠４３に形成されている各嵌合孔４３４が握り部２１１に形成された対応する嵌合突起４２を受け入れることによって、ハンドル２１に対する姿勢を一旦保持されることができると共に、頭部支持手段１を回転する際、取付けベルト４４を経由して回転枠４３を回転させ、回転枠４３に形成されている各嵌合孔４３４が対応していた嵌合突起４２から離れて、回転方向上における他の嵌合突起４２を受け入れて嵌合することによって、頭部支持手段１のハンドル２１に対する姿勢を変えられる。即ち、頭部支持手段１の枕部１１が面する方向を変えられる。
【００４２】
なお、取付けベルト４４の前記他の一端を頭部支持手段１に取り付ける方法として、例えば係合、掛合などを用いることができ、この実施形態では、面ファスナーを用いて取り付ける。
【００４３】
（第９の実施形態）
本発明の第９の実施形態は、上記第１の実施形態と類似する構成を有するので、ここでは詳しい説明を省略し、その相違点のみを説明する。
【００４４】
図１３は、本発明の第９の実施形態において、第２の取付け手段４を握り部２１１の上端に取り付けることが示される部分斜視図であり、図１４は、本発明の第９の実施形態において、頭部支持手段１の２つの取付け位置が示される部分側面図である。
【００４５】
本発明の第９の実施形態において、図１３に示されるように、第２の取付け手段４は、握り部２１１の上端に取り外し可能に取り付けられていると共に、第１の所定の方向に沿って管状に延伸する第１の取付けブロック４５と、一端が第１の取付けブロック４５に連続し、第１の取付けブロック４５より上の位置にくるように、前記一端から前記第１の所定の方向と所定の角度を成す第２の所定の方向に沿って管状に延伸して先端にある他端が頭部支持手段１に取り付けられている第２の取付けブロック４６と、を有するように構成されている。
【００４６】
そして、図１４に示されるように、頭部支持手段１に取り付けられている２つの第２の取付け手段４を、上記のように握り部２１１の上端に取り付けると、頭部支持手段１が握り部２１１の上端よりも上の位置にあるとともに、枕部１１は第２の所定の方向に向く（図１４における実線の位置）。一方、頭部支持手段１に取り付けられている２つの第２の取付け手段４を反転させて握り部２１１の上端に取り付けると、頭部支持手段１が握り部２１１の上端より下の位置にあるとともに、枕部１１は第２の取付けブロック４６の延伸方向に向く（図１４における破線の位置）。
【００４７】
（第１０の実施形態）
本発明の第１０の実施形態は、上記第１の実施形態と類似する構成を有するので、ここでは詳しい説明を省略し、その相違点のみを説明する。
【００４８】
図１５は、本発明の第１０の実施形態において、第２の取付け手段４を頭部支持手段１に取り付けることが示される部分斜視図であり、図１６は、本発明の第１０の実施形態において、第２の取付け手段４を頭部支持手段１に取り付けることが示される部分断面図である。
【００４９】
本発明の第１０の実施形態は、図１５、図１６に示されるように、頭部支持手段１は、略板状に形成され、利用者に面する面に枕部１１と、該枕部１１の反対側にある背部１３と、を有するように構成されている。
【００５０】
第２の取付け手段４は、それぞれ頭部支持手段１に向かって延伸して対となる左延伸板４７１及び右延伸板４７２を有し、左延伸板４７１及び右延伸板４７２にそれぞれ一対の掛合孔４７３が上下に形成されている。
【００５１】
頭部支持手段１の背部１３には、可撓性を有すると共に一端が背部１３に固定され、他端が第２の取付け手段４が有する掛合孔４７３を挿通してから背部１３に戻って固定されることができるように構成された掛合ベルト１４が左右３つずつ上下方向に沿って並ぶように、左右対称に配置されている。
【００５２】
この構成により、例えば図１５のように、頭部支持手段１の背部１３に固定されている左側の３つの掛合ベルト１４における下の２つがそれぞれ左延伸板４７１に形成される一対の掛合孔４７３を挿通すると共に、右側の３つの掛合ベルト１４における下の２つがそれぞれ右延伸板４７２に形成される一対の掛合孔４７３を挿通すると、頭部支持手段１を上寄りの位置に取り付けることができる。
【００５３】
また、頭部支持手段１の背部１３に固定されている左側の３つの掛合ベルト１４における上の２つがそれぞれ左延伸板４７１に形成される一対の掛合孔４７３を挿通すると共に、右側の３つの掛合ベルト１４における上の２つがそれぞれ右延伸板４７２に形成される一対の掛合孔４７３を挿通すると、頭部支持手段１を下寄りの位置に取り付けることができる。
【００５４】
即ち、一対の掛合孔４７３を相異する相隣る掛合ベルト１４に掛合することにより、頭部支持手段１を相異する高さに取り付けることができる。
【００５５】
なお、掛合ベルト１４の他端を頭部支持手段１の背部１３に取り付ける方法として、例えば係合、掛合などを用いることができ、この実施形態では、面ファスナーが用いられている。
【００５６】
（第１１の実施形態）
本発明の第１１の実施形態は、上記第１の実施形態と類似する構成を有するので、ここでは詳しい説明を省略し、その相違点のみを説明する。
【００５７】
図１７は、本発明の第１１の実施形態が示される部分斜視図であり、図１８は、本発明の第１１の実施形態において、頭部支持手段１の高さが調整されることが示される部分正面図である。
【００５８】
本発明の第１１の実施形態は、図１７、図１８に示されるように、両端が頭部支持手段１と一対のハンドル２１の上端とそれぞれに、頭部支持手段１を相異する高さに調整できるように、同じ平面において回動自在に軸装される取付け部材４８を有する。
【００５９】
なお、取付け部材４８を、頭部支持手段１及び一対のハンドル２１の上端に軸装する方法は、周知の軸装方法を用いることができ、特に限定されないので、ここでは詳しい説明を省略する。
【００６０】
上記の各構成によれば、本発明のヘッドレスト装置を椅子の背もたれに配設することにより、利用者が該椅子に座ると、該利用者の頭部が支持され、また、本発明のヘッドレスト装置が有する頭部支持手段１は、第２の取付け手段４により、枕部１１の角度や頭部支持手段１の高さを、利用者に合わせて調整できるので、利用者が更に快適に該椅子に座ることができ、そして、従来のヘッドレスト装置を有しない椅子に比べて、利用者の頸部にかかる負担が軽減されて、頸部の骨や筋肉に関わる病気が生じにくくなる。
【００６１】
更に、本発明のヘッドレスト装置には、人が拳を握った姿勢をとった場合に握りやすい角度に形成された握り部２１１を有するので、本発明のヘッドレスト装置が配設された椅子を移動する際に、椅子の操縦者が椅子に力をかけやすく、また、腕にかかる負担がより少なく該椅子を操縦して移動できる。
【産業上の利用可能性】
【００６２】
本発明のヘッドレスト装置は、あらゆる背もたれを有する椅子に適用でき、特に、操縦が必要な椅子、例えば車椅子により好適である。
【符号の説明】
【００６３】
１  頭部支持手段
１１  枕部
１２  取付けピン
１３  背部
１４  掛合ベルト
２  支持フレーム
２１  ハンドル
２１１  握り部
２１２  湾曲部
３  第１の取付け手段
３１  挿入部
３２  取付け管
３２１  固定プレート
３２２  スリット
３２３  固定板
３２４  固定ねじ
３３  受入孔
３４  ねじ
３５  締付け環
３５１  環状部
３５２  接続板
３５３  接続ねじ
４  第２の取付け手段
４１  取付け孔
４２  嵌合突起
４３  回転枠
４３１  枠本体
４３３  穿設孔
４３２  スポーク
４３４  嵌合孔
４４  取付けベルト
４５  第１の取付けブロック
４６  第２の取付けブロック
４７  延伸板
４７１  左延伸板
４７２  右延伸板
４７３  掛合孔
４８  取付け部材
８１  鉛直線
８２  水平軸線
９  椅子
９１  背もたれ
９１１  配設孔
９１２  延伸部
【図１】
2015039633.tif 000003
【図２】
2015039633.tif 000004
【図３】
2015039633.tif 000005
【図４】
2015039633.tif 000006
【図５】
2015039633.tif 000007
【図６】
2015039633.tif 000008
【図７】
2015039633.tif 000009
【図８】
2015039633.tif 000010
【図９】
2015039633.tif 000011
【図１０】
2015039633.tif 000012
【図１１】
2015039633.tif 000013
【図１２】
2015039633.tif 000014
【図１３】
2015039633.tif 000015
【図１４】
2015039633.tif 000016
【図１５】
2015039633.tif 000017
【図１６】
2015039633.tif 000018
【図１７】
2015039633.tif 000019
【図１８】
2015039633.tif 000020